(57)【要約】  【課題】  レーザー光を利用した照明を行うことが可能な発光体と、その発光体を備える照明器具と、この照明器具を用いた照明システムを提供する。  【解決手段】  この照明システム１で用いられる発光体１１は、ガラス製の中空状の発光体であって、内側側面全体にレーザー光を散乱する散乱部１１ａが形成されている。この発光体１１にレーザー光を入射すると、入射した時に散乱部１１ａによってレーザー光が散乱され、中空になった発光体１１の内部を通って、その先の散乱部１１ａにレーザー光が当たって散乱を繰り返す。このように、レーザー光が発光体１１の内部全体で散乱が繰り返えされると、発光体１１全体が光るようになり、照明用の光として利用することができるようになる。そのため、この発光体１１を用いるとレーザー光を利用した照明を行うことができる。【選択図】図５
2009252647.tif 000002
【特許請求の範囲】
【請求項１】
光を透過する透過性材料で形成された中空状の発光体であって、
前記中空を形成する当該発光体の内側側面全体にレーザー光を散乱する散乱部が形成されていることを特徴とする発光体。
【請求項２】
前記散乱部は、当該発光体の内側側面全体に凹凸を付けて形成されたものであることを特徴とする請求項１に記載の発光体。
【請求項３】
請求項１，２のいずれかに記載の発光体と、
入射されるレーザー光を前記発光体に向けて反射する反射部と、
を備える照明器具であって、
前記反射部は、
当該照明器具から離れた位置に設置されたレーザー光を照射するレーザー光照射手段から入射されるレーザー光、及び、前記発光体から入射されるレーザー光を前記発光体に向けて反射することを特徴とする照明器具。
【請求項４】
請求項３記載の照明器具において、
前記反射部は、凹面鏡状に形成されていることを特徴とする照明器具。
【請求項５】
請求項３，４のいずれかに記載の照明器具において、
前記レーザー光照射手段から入射したレーザー光を、前記反射部に導く導光手段を備えることを特徴とする照明器具。
【請求項６】
請求項３〜５のいずれかに記載の照明器具において、
前記反射部は、
前記レーザー光照射手段から入射したレーザー光を、当該照明器具の照明方向に向かって反射するように配置されたことを特徴とする照明器具。
【請求項７】
車両室内に車内用の照明器具として設置された複数の請求項３〜６のいずれかに記載の照明器具と、
前記車両室内に設置されるとともに前記各照明器具から離れた位置に設置され、前記各照明器具に対しレーザー光を順次照射する前記レーザー光照射手段と
前記車両室内に設置され、前記各照明器具の点灯指示を受け付ける点灯操作手段と、
を備え、
前記レーザー光照射手段は、
前記点灯操作手段によって前記点灯指示があった前記各照明器具に対して前記レーザー光を順次照射することを特徴とする照明システム。
【発明の詳細な説明】
【技術分野】
【０００１】
本発明は、レーザー光を利用した発光体と、この発光体を備える照明器具と、この照明器具を用いた照明システムに関する。
【背景技術】
【０００２】
レーザー光を利用して、ある特定の部位を発光させる技術には種々のものがあり、例えば、スピードメータの針先を光らせる発明がある（特許文献１）。
この発明は、通過する光を散乱させる透光体を針先に取り付け、この透光体にレーザー光を当て、この透光体内でレーザー光を散乱させながら通過させることによって透光体を発光させるものである。
【特許文献１】特開平７−２８０６００号公報
【発明の開示】
【発明が解決しようとする課題】
【０００３】
ところで、車両室内には、複数の照明用の器具が備え付けられている。そして、これらの照明用の器具に電力を送るため、車両の内壁と外壁との間などには、複数の電線が配線されている。
【０００４】
一方、車両の多機能化に伴い、車両内に張られる電力線その他の配線は増加の一途をたどっている。
そのため、この配線を減らすため、前述したスピードメータの針先に用いた透光体を車両内に設置し、離れた位置からレーザー光を各透光体に当てて発光させ、照明を行うことが考えられた。
【０００５】
しかし、前述した透光体のように、レーザー光を散乱させる物質を詰めたような、いわゆる肉の詰まったものの場合、入射した方向に光が収束して分散し難い傾向があって、電球のように透光体全体を光らせることが難しかった。
【０００６】
そこで本発明では、レーザー光を利用した照明を行うことが可能な発光体と、その発光体を備える照明器具と、この照明器具を用いた照明システムを提供することを目的とする。
【課題を解決するための手段】
【０００７】
上述した問題を解決するためになされた発明である請求項１に記載の発光体は、光を透過する透過性材料で形成された中空状の発光体であって、中空を形成する発光体の内側側面全体にレーザー光を散乱する散乱部が形成されている。
【０００８】
この発光体にレーザー光を入射すると、入射した時に散乱部によってレーザー光が散乱され、中空になった発光体の内部を通って、その先の散乱部にレーザー光が当たり、一部は透過し、一部は散乱によって反射され、さらに、その反射されたレーザー光がさらに発光体の内部を通って、散乱部に当たり、一部は透過し、一部は散乱によって反射される。
【０００９】
このように、レーザー光が発光体の内部全体で反射を繰り返すと、発光体全体が光るようになり、照明用の光として利用することができるようになる。
従って、この発光体を用いるとレーザー光を利用した照明を行うことができる。
【００１０】
尚、発光体の形状として最も好ましい形状は球状で、楕円形状でもよい。
また、発光体の散乱部としては、発光体の内部に散乱材を混入して構成してもよいが、請求項２に記載したように、発光体の散乱部は、発光体の内側側面全体に凹凸を付けて形成されたものであることが好ましい。
【００１１】
次に、上述した発光体を用いた照明器具について説明する。
請求項３に記載した照明器具は、請求項１，２のいずれかに記載の発光体と、入射されるレーザー光を発光体に向けて反射する反射部と、を備える照明器具であって、反射部は、照明器具から離れた位置に設置されたレーザー光を照射するレーザー光照射手段から入射されるレーザー光、及び、発光体から入射されるレーザー光を発光体に向けて反射するものである。
【００１２】
このように構成された照明器具では、レーザー照射手段から入射したレーザー光を反射部に当てると、そのレーザー光が反射して発光体に当たり、その一部が発光体内に入って発光体を光らせる。また他の一部は発光体の外側表面で反射して再び反射部に当たって反射され、その反射されたレーザー光の一部が発光体内に入って発光体を光らせ、他の一部が再び反射部に向かって反射される。
【００１３】
つまり、本願発明の照明器具では、レーザー照射手段から入射したレーザー光を反射部に当てると、反射部と発光体との間でレーザー光が繰り返し反射され、その繰り返しのうちに、すべてのレーザー光が発光体内に効率良く入射して発光体を光らせるのである。
【００１４】
従って、本発明の照明器具を用いると、レーザー光を発光体内に効率よく入射させることで、発光体を明るく発光させることができる。
尚、反射部と発光体との間でレーザーを繰り返し反射させる場合、反射部は、請求項４に記載したように、凹面鏡状に形成されていることが好ましい。
【００１５】
また、レーザー光照射手段と照明器具との位置関係から、レーザー光照射手段から照射されたレーザー光を直接反射部に当てることができないときは、請求項５に記載したように、導光手段を用いて、レーザー光照射手段から入射したレーザー光を、反射部に導くとよい。この導光手段としては、プリズムなどを用いても良い。
【００１６】
ところで、レーザー光は、直進性に優れているので、発光体内から発せられる光束の多くは、発光体内へのレーザー光の入射方向に集まる傾向にある。
そのため、請求項６に記載したように、本願発明の照明器具を用いた照明を行う場合、反射部については、レーザー光照射手段から入射したレーザー光を、照明器具の照明方向に向かって反射するように配置することが好ましい。
【００１７】
このようにすると、照明方向に効率よく光束が照射されるので、本願発明の照明器具を用いて、照明方向を明るく照らすことができる。
次に、上述した照明装置を車両用の照明に適用した場合の照明システムについて説明する。
【００１８】
請求項７に記載した照明システムでは、請求項３〜６のいずれかに記載の複数の照明器具が、車両室内に車内用の照明器具として設置している。そして、レーザー光照射手段は、車両室内に設置されるとともに各照明器具から離れた位置に設置し、各照明器具に対しレーザー光を順次照射するよう構成している。また、この照明システムでは、車両室内に点灯操作手段を設置し、各照明器具の点灯指示を受け付けるよう構成している。
【００１９】
そして、この照明システムでは、レーザー光照射手段が、点灯操作手段によって点灯指示があった各照明器具に対してレーザー光を順次照射し、点灯指示があった照明器具だけ点灯するようにしている。
【００２０】
この照明システムを用いると、車両内の複数箇所に各照明器具を設置し、各照明器具に対して離れた位置からレーザー光を照射することで、各照明器具を点灯させることができるので、各照明器具に点灯用の電力を送る配線を行うことなく、各照明器具を点灯させることができる。
【００２１】
そのため、この照明システムを用いると、各照明器具を点灯させるために電気を配るための配線が不要となるので、車両内の配線の量を大幅に減らすことができる。
尚、レーザー光照射手段が、各照明器具に向かってレーザー光を順次照射する間隔は、このように各照明装置にレーザー光を入射することによって点滅する発光体のこの点滅を、人間が認識できない間隔であることが好ましい。
【発明を実施するための最良の形態】
【００２２】
以下、本発明が適用された実施形態について図面を用いて説明する。
１．全体構成
本実施形態の照明システム１は、車両に適用されたものである。
【００２３】
ここで、図１は、本実施形態の照明システム１が適用された車両を、この車両の進行方向左側面から見た模式図であり、この車両の室内空間を構成する屋根と、この屋根に取り付けられた本実施形態の照明システム１を構成する照明器具１０及びレーザー光照射機２０とを透過させ、このうち屋根については断面で示したものである。
【００２４】
また、図２は、本実施形態の照明システム１を構成する照明器具１０及びレーザー光照射機２０の配置関係を説明するための模式図であり、車両の室内空間を構成する屋根を車内から見上げてこれらを見た場合の配置関係を示したものである。
【００２５】
尚、図１及び図２中の矢印で示した方向が、車両の進行方向前方である。また、図中の点線はレーザー光である。
本実施形態の照明システム１は、３つの照明器具１０（１０ａ、１０ｂ、１０ｃ）及びレーザー光照射機２０を備えている。
【００２６】
このうち照明器具１０ａは、図１に示すように、車両の室内空間を構成する屋根２ａの中央部分に取り付けられ、照明器具１０ｂ、１０ｃは、屋根２ａの前方部分に取り付けられている。また、各照明器具１０は、図２に示すように、屋根２ａの天井面２ｂに沿った平面上で、レーザー光照射機２０を中心に１２０度ずつ回転した位置に配置されている。
【００２７】
これらの照明器具１０のうち、照明器具１０ａは、車両室内全体を照明する室内灯として用いられる。また、照明器具１０ｂは、図２に示すように、車両の進行方向に対して右側に設置され、運転席の手元を照明する運転者用読書灯として用いられ、照明器具１０ｃは、車両の進行方向に対して左側に設置され、助手席の手元を照明する助手席用読書灯として用いられる。
【００２８】
次に、レーザー光照射機２０は、図１に示すように、進行方向に対して照明器具１０ａと照明器具１０ｂ、１０ｃとの中間位置付近の屋根２ａに取り付けられ、このレーザー光照射機２０から照射されるレーザー光が、屋根２ａの天井面２ｂに沿って進むように設置される。
２．内部構成
次に、本実施形態の照明システム１の内部構成について説明する。
【００２９】
ここで図３は、本実施形態の照明システム１の内部構成を示すブロック図である。尚、図中の点線はレーザー光である。
本実施形態の照明システム１は、図３に示すように、上述した照明器具１０及びレーザー光照射機２０の他に、各照明器具１０を点灯するためのスイッチ３０を備えている。
【００３０】
レーザー光照射機２０は、中央制御装置２１と、レーザー光発生装置２２と、配光装置２３、回転センサ２４とを備え、車両のバッテリーから電源の供給を受けて動作する。
中央制御装置２１は、ＣＰＵ、ＲＯＭ、ＲＡＭ、及びメモリ２１０等を備えるコンピュータ装置からなり、後述する点灯処理を実行する。
【００３１】
レーザー光発生装置２２は、中央制御装置２１の制御により、レーザー光を発生させて配光装置２３に向けてレーザーを発射する装置である。
配光装置２３は、レーザー光発生装置２２から発射されたレーザー光を、各照明器具１０に向けてレーザー光を配光する装置である。
【００３２】
回転センサ２４は、配光装置２３がレーザー光を配光する方向を検出するためのセンサである。
スイッチ３０は、室内灯スイッチ３０ａ、運転者用読書灯スイッチ３０ｂ、及び、助手席用読書灯スイッチ３０ｃとを備えている。
【００３３】
このうち、室内灯スイッチ３０ａは、照明器具１０ａの点灯を指示するスイッチで、室内灯１０ｃ近傍の屋根２ａの天井面２ｂに取り付けられている。
また、運転者用読書灯スイッチ３０ｂ、及び、助手席用読書灯スイッチ３０ｃは、それぞれ照明器具１０ｂ、１０ｃの点灯を指示するスイッチで、図示しない車両のインパネに取り付けられている。
３．レーザー光照射機２０
次に、レーザー光照射機２０について、詳細に説明する。
【００３４】
ここで図４は、レーザー光照射機２０の内部構造を示した模式図で、（ａ）は屋根２ａの天井面２ｂに取り付けられたレーザー光照射機２０を、車両の進行方向左側面から見た図であり、（ｂ）は（ａ）のＡ−Ａ’断面図である。
【００３５】
尚、以下の説明では、図４中に示したように、車両の進行方向前方側を前方、車両の進行方向の左側を左方、右側を右方、後方側を後方と呼び、重力方向上方側を上方、下方側を下方と呼ぶ。また、図中の点線はレーザー光である。
【００３６】
このレーザー光照射機２０は、図４（ａ）及び（ｂ）に示すように、上下面が正方形状に形成された箱状の筐体２０ａ内に、レーザー光発生装置２２と、配光装置２３、回転センサ２４とを備えたものである。
【００３７】
筐体２０ａは、図４（ｂ）に示すように、後方側側面の左右方向の中央部分と、右側側面と前方側側面とが交わる角部分と、左側側面と前方側側面とが交わる角部分とに、レーザー光を通すための光路用孔２０ｂ〜２０ｄが形成されている。すなわち、光路用孔２０ｂ〜２０ｄは、筐体２０ａの下面の中心部から見て１２０度ずつ回転した位置に形成されている。
【００３８】
レーザー光発生装置２２は、レーザー光照射機２０の筐体２０ａ内の上方前方側に、後方に向かってレーザー光を照射するように取り付けられている。
配光装置２３は、導光板２３ａ、２３ｂと、モータ２３ｃとを備えている。
【００３９】
このうち導光板２３ａは、レーザー光照射機２０から発射されたレーザー光を下方に向かって導くもので、レーザー光照射機２０内に固定して設置されている。
導光板２３ｂは、導光板２３ａによって下方に導かれたレーザー光を、屋根２ａの天井面２ｂに沿って照射し、各照明器具１０に導くもので、レーザー光照射機２０内に回転可能に固定して設置されている。
【００４０】
モータ２３ｃは、導光板２３ｂを回転軸２３ｄを介して回転可能に支持するとともに、中央制御装置２１の制御を受けて導光板２３ｂを回転させるものである。
このモータ２３ｃは、回転軸２３ｄが、筐体２０ａの下面の中心部を通って上下方向に沿って配置されるように、筐体２０ａの下面上に設置されている。
【００４１】
回転センサ２４は、配光装置２３がレーザー光を配光する方向を検出するためのセンサである。この回転センサ２４は、具体的には、回転軸２３ｄの回転角度を検出して導光板２３ｂの回転角度を検出するセンサである。
【００４２】
以上のように構成されたレーザー光照射機２０では、レーザー光発生装置２２からレーザー光を照射すると、導光板２３ａによって導光板２３ｂに導かれ、モータ２３ｃを駆動して導光板２３ｂを光路用孔２０ｂ〜２０ｄに向けると、導光板２３ｂに導かれたレーザー光が、各光路用孔２０ｂ〜２０ｄから、屋根２ａの天井面２ｂに沿って外部に照射される。
【００４３】
本実施形態の照明システム１では、このレーザー光照射機２０の後方側に照明器具１０ａ、このレーザー光照射機２０を中心として照明器具１０ａから右側に１２０度回転した右側前方に照明器具１０ｂ、レーザー光照射機２０を中心として照明器具１０ａから左側に１２０度回転した左側前方に照明器具１０ｃが配置されているので（図２参照）、導光板２３ｂを各光路用孔２０ｂ〜２０ｄに向けると、レーザー光発生装置２２から照射されたレーダー光を各照明器具１０ａ〜１０ｃに照射することができる。
【００４４】
また、本実施形態では、導光板２３ｂが光路用孔２０ｂを通って後方にレーザー光を導く回転位置を０°とし、光路用孔２０ｃを通って右前方にレーザー光を導く回転位置を１２０°、光路用孔２０ｄを通って右前方にレーザー光を導く回転位置を２４０°としてメモリ２１０（図３参照）に記憶している。
【００４５】
そのため、回転センサ２４を用いてモータ２３ｃと導光板２３ｂとを接続する回転軸２３ｄの回転角度を検出すれば、中央制御装置２１は、レーザー光発生装置２２から照射されたレーザー光を導光板２３ｂがどちらの方向に導いているかを認識することができる。すなわち、本実施形態の照明システム１では、レーザー光照射機２０がレーザー光をいずれの照明器具１０ａ〜１０ｃに向けて照射しているかを中央制御装置２１で認識することができるよう構成されている。
４．照明器具１０
次に、照明器具１０について説明する。
【００４６】
ここで、図５（ａ）は、照明器具１０ａを車両の進行方向右側側面から見た模式図で、屋根２ａについては断面で示した図である。図５（ｂ）は、照明器具１０ａを車両の進行方向右側側面から見た模式図で、屋根２ａについては断面で示し、発光体１１については、発光体１１の中心を通る重力方向に垂直な断面図で示した図である。
【００４７】
照明器具１０は、図５（ａ）に示すように、球状に形成された発光体１１と、プリズム１２と、凹面鏡状に形成された反射部１３ａとからなる。
この照明器具１０が設置される部分の屋根２ａの天井面２ｂ上には、凹部１３が形成されている。この凹部１３は、発光体１１より径の大きい球の一部を、その球の半径に垂直な面で切断したときにできる曲面状に形成されている。
【００４８】
発光体１１は、屋根２ａに取り付けるためのネジ１１ａを備えており、凹部１３の底部分にネジ１１ａをねじ込むことにより屋根２ａに取り付けられるとともに、この凹部１３内に発光体１１の一部が位置するように配置される。
【００４９】
また、凹部１３の発光体１１に対向する面には、反射部１３ａを構成するアルミ薄膜層が積層されている。反射部１３ａは、このようにアルミ薄膜層が凹部１３内に積層されることで、凹面鏡状に形成される。
【００５０】
プリズム１２は、凹部１３に設置された発光体１１から見てレーザー光照射機２０側であって、凹部１３の端部の屋根２ａに固定して設置される。
このプリズム１２は、図５（ｂ）に示すように、レーザー光照射機２０から照射されたレーザー光を反射部１３ａに向かって導くように形成及び配置されている。
【００５１】
発光体１１は、電球と同様、内部が空洞のガラスで形成され、この発光体の内側側面全体には、レーザー光を散乱可能な凹凸が形成されている。
この発光体１１にレーザー光を入射すると、入射した時に発光体１１の内側側面全体に形成された凹凸（以下「散乱部１１ｂ」という）によってレーザー光が散乱され、中空になった発光体１１の内部を通って、その先の散乱部１１ｂにレーザー光が当たり、一部は透過し、一部は散乱によって反射され、さらに、その反射されたレーザー光がさらに発光体１１の内部を通って、散乱部１１ｂに当たり、一部は透過し、一部は散乱によって反射される。
【００５２】
このように、レーザー光が発光体１１の内部全体で反射を繰り返すと、発光体１１全体が光るようになり、照明用の光として利用することができるようになる。
また、本実施形態では、発光体１１にレーザー光を入射させる際、レーザー光照射機２０から照射されたレーザー光を、プリズム１２を用いて反射部１３ａに導いて反射させ、その反射したレーザー光を入射させている。
【００５３】
このようにすると、発光体１１に向かったレーザー光は発光体１１に当たり、その一部が発光体１１内に入って発光体１１を光らせる。また他の一部は発光体１１の外側表面で反射して再び反射部１３ａに当たって反射され、その反射されたレーザー光の一部が発光体１１内に入って発光体１１を光らせ、他の一部が再び反射部１３ａに向かって反射される。
【００５４】
つまり、本願実施形態の照明器具１０では、レーザー光を反射部１３ａに当てると、反射部１３ａと発光体１１との間でレーザー光が繰り返し反射され、その繰り返しのうちに、すべてのレーザー光を発光体１１内に効率良く入射させて発光体１１を光らせているのである。
【００５５】
従って、本実施形態の照明器具１０は、レーザー光を発光体１１内に効率よく入射させることができるので、発光体１１を明るく発光させることができる。
５．点灯処理
次に、中央制御装置２１で実行される点灯処理について説明する。
【００５６】
ここで、図６は、点灯処理のフローチャートである。
この点灯処理は、Ｓ１０〜Ｓ１６のステップからなる処理であり、各照明器具１０にレーザー光を照射して、各照明器具１０での照明を行わせる処理である。
【００５７】
この点灯処理は、車両のアクセサリー電源がＯＮされるか、エンジンがＯＮされると開始される。
この点灯処理がスタートすると、まず、Ｓ１０の処理が実行される。
【００５８】
Ｓ１０では、３つのスイッチ３０のうち、いずれかのスイッチ３０がＯＮ操作されているか調べる処理が実行される。
この処理（Ｓ１０）で、いずれのスイッチ３０もＯＮ操作されていないと判定されたら（Ｓ１０：ＮＯ）、一旦本点灯処理を終了して、再びＳ１０の処理が実行され、一方、いずれかのスイッチ３０がＯＮ操作されていると判定されたら、Ｓ１１の処理が実行される。
【００５９】
Ｓ１１では、いずれのスイッチ３０がＯＮ操作されているか判定する処理が実行される。
Ｓ１２では、ＯＮ操作されているスイッチ３０に対応する照明器具１０を点灯するため、この点灯する照明器具１０に対応する回転角度を、メモリ２１０から読み出す処理が実行され、その読み出された回転角度が保持される。
【００６０】
Ｓ１３では、モータ２３ｃが始動され、回転センサ２４で導光板２３ｂの回転角度を検出しながら、Ｓ１２で保持された回転角度になったらレーザー光発生装置２２からレーザー光を発射する処理を実行する。このＳ１３を実行すると、スイッチ３０が操作された照明器具１０にのみレーザー光照射機２０からレーザー光が発射され、レーザー光を受光した照明器具１０の発光体１１が発光する。
【００６１】
ところでこのとき、導光板２３ｂが回転しているので、各照明装置１０には、この回転に伴ってレーザー光が順次照射されるので、各照明装置１０の発光体１１は点滅することとなるが、本実施形態では、この点滅の速さが人間の目では識別できない速さ（５０回転／秒）となるよう、導光板２３ｂを高速で回転させている。また、このようにすることで、照明に耐えうるチラつかない照明用の光が発光体１１から照射されることとなる。
【００６２】
Ｓ１４では、すべてのスイッチ３０がＯＦＦにされたか否かが判定され、全てのスイッチがＯＦＦにされていなかったら（Ｓ１４：ＮＯ）、再びＳ１０の処理が実行され、一方、全てのスイッチがＯＦＦされていたら（Ｓ１４：ＹＥＳ）、Ｓ１５の処理を実行する。
【００６３】
Ｓ１５では、反射鏡が予め定めた初期位置（０°位置）にするように角度センサで監視してモータ２３ｃを駆動させ、初期位置になったらモータ２３ｃを止めて、本点灯処理を終了し、再びＳ１０の処理が実行される。
６．実施形態に係る照明システムの特徴
本実施形態の照明システム１を用いると、車両内の複数箇所に各照明器具１０を設置し、各照明器具１０に対して離れた位置からレーザー光を照射することで、各照明器具１０を点灯させることができるので、各照明器具１０に点灯用の電力を送る配線を行うことなく、各照明器具１０を点灯させることができる。
【００６４】
そのため、この照明システム１を用いると、各照明器具１０を点灯させるために電気を配るための配線が不要となるので、車両内の配線の量を大幅に減らすことができる。
７．実施形態と発明特定事項との対応関係
本実施形態のプリズム１２は、本発明の導光手段に相当する。
【００６５】
本実施形態のスイッチ３０は、本発明の点灯操作手段に相当する。
（その他の実施形態）
上記実施形態では、各照明器具１０が照明する方向とレーザー光が発光体１１に入射する方向との関係について特に説明しなかったが、本実施形態の照明器具１０を用いて照明を行う場合、プリズム１２を用いて、反射部１３ａにレーザー光を導いたとき、レーザー光が反射部１３ａで第１反射し、この第１反射したレーザー光が、照明器具１０の照明方向に向かうように、照明器具１０を構成するとよい。
【００６６】
レーザー光は、直進性に優れているので、発光体１１内から発せられる光束の多くは、発光体１１内へのレーザー光の入射方向に集まる傾向にある。そのため、このようにすると、照明方向に効率よく光束が照射されるので、上記実施形態で説明した照明器具１０を用いて、照明方向を明るく照らすことができる。
【００６７】
上記実施形態では、発光体１１をガラス材で形成したが、この発光体１１を構成するものとしては透明なものであればどのようなものでもよく、透明な合成樹脂でもよい。
上記実施形態では、凹部１３にアルミ薄膜層を積層して反射部１３ａを形成したが、この薄膜層はアルミでなくてもよく、例えば白等の明色の塗装層でも、また素材自体が白等の明色のものでもよい。
【００６８】
また、本実施形態では、屋根２ａの車両室内側にレーザー光照射機２０を設置したが、例えば、図７（ａ）に示すように、屋根を構成する外側屋根材と内側屋根材との間に空間がある場合、その空間に配置してもよい。
【００６９】
この場合、発光体１１に対してレーザー光を入射させるには、レーザー光照射機２０から発光体１１に直接レーザー光を発射すると、レーザー光が反射部１３ａが配置された部分と交差するが、その交差する位置にレーザー光が通る穴１３ｂを開けて（あるいはその穴にレーザー光を透過する透明な材料を埋め込んでもよい）、レーザー光が発光体１１に入射するようにしてもよい。
【００７０】
また、本発明は、特許請求の範囲に記載された発明の趣旨に合致するものであればよく、上述の実施形態に限定されるものではない。
【図面の簡単な説明】
【００７１】
【図１】本実施形態の照明システム１が適用された車両を、この車両の進行方向左側面から見た模式図であり、この車両の室内空間を構成する屋根と、この屋根に取り付けられた本実施形態の照明システム１を構成する照明器具１０及びレーザー光照射機２０とを透過させ、このうち屋根については断面で示したものである。
【図２】本実施形態の照明システム１を構成する照明器具１０及びレーザー光照射機２０の配置関係を説明するための模式図であり、車両の室内空間を構成する屋根を車内から見上げてこれらを見た場合の配置関係を示したものである。
【図３】本実施形態の照明システム１の内部構成を示すブロック図である。
【図４】レーザー光照射機２０の内部構造を示した模式図で、（ａ）は屋根２ａの天井面２ｂに取り付けられたレーザー光照射機２０を、車両の進行方向左側面から見た図であり、（ｂ）は（ａ）のＡ−Ａ’断面図である。
【図５】（ａ）は、照明器具１０ａを車両の進行方向右側側面から見た模式図で、屋根２ａについては断面で示した図である。図５（ｂ）は、照明器具１０ａを車両の進行方向右側側面から見た模式図で、屋根２ａについては断面で示し、発光体１１については、発光体１１の中心を通る重力方向に垂直な断面図で示した図である。
【図６】点灯処理のフローチャートである。
【図７】レーザー光照射機２０を、外側屋根材と内側屋根材との間に配置した場合の実施形態を説明するための説明図で、（ａ）は、車両の屋根の模式図、（ｂ）は（ａ）の一部拡大図である。
【符号の説明】
【００７２】
１…照明システム、２ａ…屋根、２ｂ…天井面、１０…照明器具、１１…発光体、１１ａ…ネジ、１１ｂ…散乱部、１２…プリズム、１３…凹部、１３ａ…反射部、１３ｂ…穴、２０…レーザー光照射機、２０ａ…筐体、２０ｂ〜ｄ…光路用孔、２１…中央制御装置、２２…レーザー光発生装置、２３…配光装置、２３ａ…導光板、２３ｂ…導光板、２３ｃ…モータ、２３ｄ…回転軸、２４…回転センサ、３０…スイッチ
【図１】
2009252647.tif 000003
【図２】
2009252647.tif 000004
【図３】
2009252647.tif 000005
【図４】
2009252647.tif 000006
【図５】
2009252647.tif 000007
【図６】
2009252647.tif 000008
【図７】
2009252647.tif 000009